(57)【要約】【課題】洗面台の棚のスペースを使用せず、口を付ける上面８が洗面台と接触しない様に保持しながら収納する事を可能としたコップ１を提供することにある。【解決手段】底裏３に磁石７ａを付けた下面４を有するコップ１とする。側面５の裏である側裏面５ａに磁石７ｂを有するコップ１とする。取手６の裏である取手裏６ａに磁石７ｃを有するコップ１とする。このコップ１を洗面台１０ａ及び１０ｂに取り付けた鉄板９ａ及び鉄板９ｂに磁石７ａ、７ｂ、７ｃの磁力を利用して取り付ける。【選択図】図１
0003126913.tif 000002
【実用新案登録請求の範囲】
【請求項１】
下面に磁石を取り付ける事を物権とするコップである。
【請求項２】
取手に磁石を取り付ける事を物権とするコップである。
【請求項３】
側面に磁石を取り付ける事を物権とするコップである。
【請求項４】
下面と取手に磁石を取り付ける事を物権とするコップである。
【請求項５】
下面と側面に磁石を取り付ける事を物権とするコップである。
【請求項６】
下面と取手と側面に磁石を取り付ける事を物権とするコップである。
【請求項７】
取手と側面に磁石を取り付ける事を物権とするコップである。
【請求項８】
洗面台の棚の裏に鉄板を取り付ける事を物権とする。
【請求項９】
洗面台の垂直面に鉄板を取り付ける事を物権とする。
【請求項１０】
洗面台の棚の裏に鉄板を内蔵する事を物権とする。
【請求項１１】
洗面台の垂直面に鉄板を内蔵する事を物権とする。
【考案の詳細な説明】
【技術分野】
【０００１】    本考案は、洗面台の棚の裏面や洗面台の垂直面などへ逆さにして取り付けるコップを提供し、コップの中に水が溜まることを防いで保持しながら収納することを可能にしたコップである。
【背景技術】
【０００２】    洗面所では、コップを洗面台の棚に置いていたので、いつも棚が水浸しになっていた。他に置いていた物が水で滑り散ることがよくあった。
【考案の開示】
【考案が解決しようとする課題】
【０００３】    洗面所では、コップを洗面台の棚に置いていた。この時、上面を上にして置くと、コップの中に水が溜まるため不衛生であった。その一方、上面を下にして置くと、口を付ける部分が棚に触れるため不衛生であった。
洗面所では、家族が多くなる分、各個人が使用するドライヤー、ブラシ、ヘアースプレーなど物の種類が多くなり、限られた収納部分もすぐに埋まってしまう。従って、棚の裏、壁などの物を置けないデッドスペースに磁石の機能を用いて、コップをくっつけて収納する事により、取り出しやすさと見やすい収納、更に衛生的に保持できる収納方法としても解決しようとしている。
【課題を解決するための手段】
【０００４】    本考案は、コップを収納する為に磁石を付ける。洗面所の棚の裏や洗面台等の垂直面などに鉄板をはがれない様に取り付ける。若しくは、内蔵させる。その鉄板部分を特定しておくのも有効である。内蔵させる事により、前述よりも耐久性が増す。双方の磁力により収納可能になる。且つ、水まわりの衛生的問題も解決する。
【考案の効果】
【０００５】    上述の様に本考案は、コップの収納は勿論、使用中に棚上に置いた時は磁力による落下防止にもなる。収納時には水滴を溜めず、ベタつかず、口をつける上面が洗面台に接する事なく水切りしながら収納できるので衛生的である。引き出し・棚の上以外のスペースを使用するので、物を置く場所が無くても困らない。
【考案を実施するための最良の形態】
【０００６】    コップは、下面と取手裏と側面裏の一部は平らで、平面に対して、くっつきやすい形にする。下面と取手裏と側面裏に磁石を付けるが、各部分の全面又は一部分であってもよい。はがれない様に付ける。コップは、取手の無いコップでも有効である。磁石の取り付け部分が下面と取手裏と側面裏が全部あるコップ。磁石の取り付け部分が下面と取手裏があるコップ。磁石の取り付け部分が下面と側面裏があるコップ。磁石の取り付け部分が取手裏と側面裏があるコップ。磁石の取り付け部分が下面のみのコップ。磁石の取り付け部分が取手裏のみのコップ。磁石の取り付け部分が側面裏のみのコップ。棚の裏や垂直部分には鉄板を付ける。又は内蔵させる。これは、コップをくっつける為に必要な事である。収納例としては、コップを逆さにして底の部分を棚の裏にくっつけたり、垂直部分に取手裏または、側面裏をくっつけ収納する。
【実施例１】
【０００７】    以下、添付図面に従って実施例１を説明する。コップ１は、下面４・側面５・取手６を有するコップである。底裏３に接着剤を利用して７ａを取り付ける。側面５の裏側５ａと磁石７ｂに接着剤を利用して取り付ける。取手６の裏側６ａと磁石７ｃに接着剤を利用して取り付ける。７ｂがコップ底寄りで外に出ているのは、口をつける部分の上面８と収納する側の棚裏や垂直面にくっつかない様にする為である。【０００８】    洗面台の垂直面１０ａには鉄板９ａが取り付けてあり、洗面台の棚の裏１０ｂには鉄板９ｂが取り付けてある。コップ１を逆さにして下面４と９ｂをくっつけ収納する。コップ１を逆さにして７ｂと９ａをくっつけ収納する。コップ１を逆さにして７ｃと９ａをくっつけ収納する。
【図面の簡単な説明】
【０００９】
【図１】コップの正面視又は側面視の断面図である。
【図２】図１のＪ−Ｋ−Ｌ−Ｍ視断面図である。
【図３】図１の収納した時の洗面台とコップの断面図である。
【産業上の利用可能性】
【００１０】    コップ製造業。合成樹脂の容器を製造販売する産業で利用される。
【符号の説明】
【００１１】１  コップ
２  底
３  底裏
４  下面
５  側面
５ａ  側面裏
６  取手
６ａ  取手裏
７ａ  磁石
７ｂ  磁石
７ｃ  磁石
８  上面
９ａ  鉄板
９ｂ  鉄板
１０ａ  洗面台の垂直面
１０ｂ  洗面台の棚の裏
【図１】
0003126913.tif 000003
【図２】
0003126913.tif 000004
【図３】
0003126913.tif 000005
【手続補正書】
【提出日】平成18年8月7日(2006.8.7)
【手続補正１】
【補正対象書類名】実用新案登録請求の範囲
【補正対象項目名】全文
【補正方法】変更
【補正の内容】
【実用新案登録請求の範囲】
【請求項１】
下面に磁石を取り付けた事を特徴とする磁石を有するコップ。
【請求項２】
取手に磁石を取り付けた事を特徴とする磁石を有するコップ。
【請求項３】
側面に磁石を取り付けた事を特徴とする磁石を有するコップ。
【請求項４】
下面と取手に磁石を取り付けた事を特徴とする磁石を有するコップ。
【請求項５】
下面と側面に磁石を取り付けた事を特徴とする磁石を有するコップ。
【請求項６】
下面と取手と側面に磁石を取り付けた事を特徴とする磁石を有するコップ。
【請求項７】
取手と側面に磁石を取り付けた事を特徴とする磁石を有するコップ。
【請求項８】
棚の裏に鉄板を取り付けた事を特徴とする洗面台。
【請求項９】
垂直面に鉄板を取り付けた事を特徴とする洗面台。
【手続補正２】
【補正対象書類名】明細書
【補正対象項目名】全文
【補正方法】変更
【補正の内容】
【考案の詳細な説明】
【技術分野】
【０００１】本考案は、洗面台の棚の裏面や洗面台の垂直面などへ逆さにして取り付けるコップを提供し、コップの中に水が溜まることを防いで保持しながら収納することを可能にしたコップに関するものである。
【背景技術】
【０００２】洗面所では、コップを洗面台の棚に置いていたので、いつも棚が水浸しになっていた。棚に置いていた物が水で滑ることがよくあった。
【考案の開示】
【考案が解決しようとする課題】
【０００３】洗面所では、コップを洗面台の棚に置いていた。この時、上面を上にして置くと、コップの中に水が溜まるため不衛生であった。その一方、上面を下にして置くと、口を付ける部分が棚に触れるため不衛生であった。
洗面所では、家族が多くなる分、各個人が使用するドライヤー、ブラシ、ヘアースプレーなど物の種類が多くなり、限られた収納部分もすぐに埋まってしまう。従って、棚の裏、壁などの物を置けないデッドスペースに磁石の機能を用いて、コップをくっつけて収納する事により、取り出しやすさと見やすい収納、更に衛生的に保持できる収納方法としても解決しようとしている。
【課題を解決するための手段】
【０００４】本考案は、コップに磁石を付け、洗面台の棚の裏や洗面台の垂直面などに鉄板をはがれない様に取り付ける。そして、コップを逆さにして洗面台に取り付けた鉄板にくっつけて収納する。
【考案の効果】
【０００５】本考案により、コップを逆さにして収納するので、収納時には水滴を溜めず、ベタつかず、口をつける上面が洗面台に接する事なく水切りしながら収納できるので衛生的である。引き出し・棚の上以外のスペースを使用するので、物を置く場所が無くても困らない。
【考案を実施するための最良の形態】
【０００６】コップは、下面と取手裏と側面裏の一部を平らで平面に対して、くっつきやすい形にする。下面と取手裏と側面裏に磁石を付けるが、各部分の全面又は一部分であってもよい。はがれない様に付ける。コップは、取手の無いコップでも有効である。磁石の取り付け部分が下面と取手裏と側面裏の全部であるコップ。磁石の取り付け部分が下面と取手裏であるコップ。磁石の取り付け部分が下面と側面裏であるコップ。磁石の取り付け部分が取手裏と側面裏であるコップ。磁石の取り付け部分が下面のみのコップ。磁石の取り付け部分が取手裏のみのコップ。磁石の取り付け部分が側面裏のみのコップ。洗面台の棚の裏や垂直部分には鉄板を付ける。これは、コップをくっつける為に必要な事である。収納例としては、コップを逆さにして底の部分を棚の裏にくっつけたり、垂直部分に取手裏または、側面裏をくっつけ収納する。
【実施例１】
【０００７】以下、添付図面に従って実施例１を説明する。コップ１は、下面４・側面５・取手６を有するコップである。底裏３に接着剤を利用して磁石７ａを取り付ける。側面５の側面裏５ａに接着剤を利用して磁石７ｂを取り付ける。取手６の取手裏６ａに接着剤を利用して磁石７ｃを取り付ける。磁石７ｂがコップ底寄りで側面５より外に出ているのは、口を付ける部分の上面８が洗面台の垂直面１０ａに取り付けた鉄板９ａにくっつかない様にする為である。【０００８】洗面台の垂直面１０ａには鉄板９ａが取り付けてあり、洗面台の棚の裏１０ｂには鉄板９ｂが取り付けてある。コップ１を逆さにして下面４を洗面台の棚の裏１０ｂに取り付けた鉄板９ｂにくっつけ収納する。コップ１を逆さにして磁石７ｂを洗面台の垂直面１０ａに取り付けた鉄板９ａにくっつけ収納する。コップ１を逆さにして磁石７ｃを洗面台の垂直面１０ａに取り付けた鉄板９ａにくっつけ収納する。
【図面の簡単な説明】
【０００９】
【図１】コップの側面視の断面図である。
【図２】図１のＪ−Ｋ−Ｌ−Ｍ視断面図である。
【図３】収納した時の洗面台とコップの断面図である。
【産業上の利用可能性】
【００１０】コップ製造業。合成樹脂の容器を製造販売する産業で利用される。